(57)【要約】      （修正有）【課題】記録ディスクの生産性を向上しかつ製造コストを削減する。【解決手段】装置本体１０から引き出し自在に構成された第三スタッカ５０と、オートローダ６０と、オートローダによる記録ディスクの保持が解除されたか否かを検出し解除検出信号として出力するディスク保持検出センサと、第三スタッカが装置本体から引き出された状態か否かを検出し、引出検出信号として出力するスタッカ状態検出センサとを備えるディスク発行装置１を制御するとともに、解除検出信号及び引出検出信号が入力される制御装置１００であって、入力された解除検出信号に基づいてオートローダによる記録ディスクの保持が解除されたことを検出したときに、時間の計時を開始する計時部を備え、計時部によって所定時間が計時される前に、入力された引出検出信号に基づいて第三スタッカの引き出しを検出した場合に、その旨を表示パネル７０に報知させる。【選択図】図１
2009070435.tif 000002
【特許請求の範囲】
【請求項１】
記録ディスクの記録面へのデータの記録及びレーベル面への画像の印刷のうち少なくとも一方が終了した前記記録ディスクを取り出すために装置本体から引き出し自在に構成されたスタッカと、前記記録ディスクを保持し、前記スタッカまで搬送し、前記スタッカにおいて前記保持を解除し、前記スタッカに収納させる搬送手段と、前記搬送手段による前記記録ディスクの保持が解除されたか否かを検出し、解除検出信号として出力する解除検出手段と、前記スタッカが前記装置本体から引き出された状態か否かを検出し、引出検出信号として出力する引出検出手段と、各種情報を報知する報知手段と、を備えるディスク発行装置を制御するとともに、前記解除検出信号及び前記引出検出信号が入力される制御装置であって、
入力された前記解除検出信号に基づいて前記搬送手段による前記記録ディスクの保持が解除されたことを検出したときに、時間の計時を開始する計時手段を備え、前記計時手段によって所定時間が計時される前に、入力された前記引出検出信号に基づいて前記スタッカの引き出しを検出した場合に、その旨を前記報知手段に報知させることを特徴とする制御装置。
【請求項２】
前記記録ディスクを前記スタッカに収納させるべく、前記搬送手段による前記記録ディスクの保持の解除をする際、入力された前記引出検出信号に基づいて前記スタッカが前記装置本体から引き出された状態か否かを判断し、前記スタッカが引き出された状態と判断したときは、前記搬送手段による前記記録ディスクの保持の解除を行わないことを特徴とする請求項１に記載の制御装置。
【請求項３】
前記搬送手段が、前記記録ディスクを保持し、前記スタッカまで搬送し、前記スタッカにおいて前記保持を解除し、前記スタッカに収納させる間、前記記録ディスクを前記スタッカへ収納中である旨を前記報知手段に報知させることを特徴とする請求項１又は２に記載の制御装置。
【請求項４】
記録ディスクの記録面へのデータの記録及びレーベル面への画像の印刷のうち少なくとも一方が終了した前記記録ディスクを取り出すために装置本体から引き出し自在に構成されたスタッカと、前記記録ディスクを保持し、前記スタッカまで搬送し、前記スタッカにおいて前記保持を解除し、前記スタッカに収納させる搬送手段と、を備え、外部の制御装置に制御されるディスク発行装置において、
前記搬送手段による前記記録ディスクの保持が解除されたか否かを検出し、解除検出信号として前記制御装置に出力する解除検出手段と、前記スタッカが前記装置本体から引き出された状態か否かを検出し、引出検出信号として前記制御装置に出力する引出検出手段と、各種情報を報知する報知手段と、を備え、
前記解除検出信号及び前記引出検出信号に基づいて、前記制御装置から、前記搬送手段による前記記録ディスクの保持の解除後、所定時間内に、前記スタッカの引き出しがあった旨の制御信号が入力されたときに、その旨報知する
ことを特徴とするディスク発行装置。
【請求項５】
記録ディスクの記録面にデータを記録するデータ記録処理を行う記録手段と、前記記録ディスクのレーベル面に画像を印刷する印刷処理を行う印刷手段と、前記記録ディスクを取り出すために装置本体から引き出し自在に構成されたスタッカと、前記データ記録処理及び前記印刷処理のうち少なくとも一方の処理が終了した記録ディスクを保持し、前記スタッカまで搬送し、前記スタッカにおいて前記保持を解除し、前記スタッカに収納させる搬送手段と、前記搬送手段によって前記記録ディスクの保持が解除されたときからの時間の経過を計時する計時手段と、前記スタッカが前記装置本体から引き出された状態か否かを検出する引出検出手段と、前記計時手段によって所定時間が計時される前に前記引出検出手段によって前記スタッカの引き出しが検出された場合に、その旨を報知する報知手段と、を備えることを特徴とするディスク発行装置。
【請求項６】
記録ディスクの記録面へのデータの記録及びレーベル面への画像の印刷のうち少なくとも一方が終了した前記記録ディスクを取り出すために装置本体から引き出し自在に構成されたスタッカと、前記記録ディスクを保持し、前記スタッカまで搬送し、前記スタッカにおいて前記保持を解除し、前記スタッカに収納させる搬送手段と、前記搬送手段による前記記録ディスクの保持が解除されたか否かを検出し、解除検出信号として出力する解除検出手段と、前記スタッカが前記装置本体から引き出された状態か否かを検出し、引出検出信号として出力する引出検出手段と、各種情報を報知する報知手段と、を備えるディスク発行装置を制御するとともに前記解除検出信号及び前記引出検出信号が入力される制御装置、の制御方法において、
入力された前記解除検出信号に基づいて前記搬送手段による前記記録ディスクの保持が解除されたことを検出したときに、時間の計時を開始する計時過程と、前記計時過程において所定時間が計時される前に、入力された前記引出検出信号に基づいて前記スタッカの引き出しを検出した場合に、その旨を前記報知手段に報知させる報知過程と、を備えることを特徴とする制御方法。
【請求項７】
記録ディスクの記録面へのデータの記録及びレーベル面への画像の印刷のうち少なくとも一方が終了した前記記録ディスクを取り出すために装置本体から引き出し自在に構成されたスタッカと、前記記録ディスクを保持し、前記スタッカまで搬送し、前記スタッカにおいて前記保持を解除し、前記スタッカに収納させる搬送手段と、前記搬送手段による前記記録ディスクの保持が解除されたか否かを検出し、解除検出信号として出力する解除検出手段と、前記スタッカが前記装置本体から引き出された状態か否かを検出し、引出検出信号として出力する引出検出手段と、各種情報を報知する報知手段と、を備えるディスク発行装置を制御するとともに前記解除検出信号及び前記引出検出信号が入力される制御装置、を制御するための制御プログラムにおいて、
入力された前記解除検出信号に基づいて前記搬送手段による前記記録ディスクの保持が解除されたことが検出されたときに、時間の計時を開始させ、前記計時手段によって所定時間が計時される前に、入力された前記引出検出信号に基づいて前記スタッカの引き出しが検出された場合に、その旨を前記報知手段に報知させるようにさせることを特徴とする制御プログラム。
【発明の詳細な説明】
【技術分野】
【０００１】
本発明は、記録ディスクにデータを記録し、また、画像を印刷するディスク発行装置を制御する制御装置、ディスク発行装置、制御装置の制御方法、及び、制御装置を制御するためのプログラムに関する。
【背景技術】
【０００２】
従来、記録ディスクの記録面にデータを記録するデータ記録装置と、記録ディスクのレーベル面に画像を印刷するプリンタと、記録ディスクを収納するスタッカと、データ記録装置又はプリンタによってデータの記録や画像の印刷が終了した記録ディスクをスタッカまで搬送するオートローダと、を有するディスク発行装置が知られており（例えば、特許文献１参照）、このディスク発行装置をパーソナルコンピュータやサーバ等の制御装置で制御するものがある。
【特許文献１】特開２０００−２６０１７２号公報
【発明の開示】
【発明が解決しようとする課題】
【０００３】
上記ディスク発行装置において、スタッカをディスク発行装置の装置本体から引き出し自在に構成し、スタッカに収納された記録ディスクを取り出すときは、スタッカをディスク発行装置の装置本体から引き出すことにより記録ディスクを装置本体の外に露出した後、スタッカから記録ディスクを抜き取って、スタッカに収納された記録ディスクを取り出すようにすることを考えた場合、記録ディスクを当該スタッカに収納する際は、制御装置の制御の下、オートローダによってスタッカ内における記録ディスクを収納すべき箇所の近傍にまで記録ディスクを搬送した後、記録ディスクの保持を解除して記録ディスクをスタッカへ落下させ、スタッカ内の所定の箇所に記録ディスクを収納することとなる。
しかしながら、上述したディスク発行装置では、制御装置の制御の下、記録ディスクをスタッカに収納すべくオートローダが記録ディスクの保持を解除した直後に、作業者等が装置本体からスタッカを引き出した場合、落下中の記録ディスクと引き出し中のスタッカとが衝突したり、ディスク発行装置の部品等に記録ディスクが引っ掛かったりする等して、例え記録ディスクがスタッカに収納されたとしても記録ディスクに傷が付いてしまう可能性がある。この場合において、当該記録ディスクがスタッカの引き出しによって傷付いた可能性がある、ということを作業者等が認識していない場合、この傷付いた可能性のある当該記録ディスクは、他の記録ディスクと混在した状態で次の生産工程に移される。このとき、仮に記録ディスクに傷が付いていた場合、この傷は後の生産工程で発見され、そこで初めて当該記録ディスクの破棄等の適切な処理が実行されることになる。つまり、傷付き破棄されるべき記録ディスクが、傷付いた後も生産工程を経ることになり、生産性の低下及び製造コストの増大を招くおそれがあった。
【０００４】
本発明は、上述した事情に鑑みてなされたものであり、記録ディスクの生産性を向上しかつ製造コストを削減できるようにディスク発行装置を制御することを目的とする。
【課題を解決するための手段】
【０００５】
上記目的を達成するために、本発明は、記録ディスクを収納すると共に、収納された前記記録ディスクを取り出すために装置本体から引き出し自在に構成されたスタッカと、前記記録ディスクを保持し、前記スタッカまで搬送し、前記スタッカにおいて前記保持を解除し、前記スタッカに収納させる搬送手段と、前記搬送手段による前記記録ディスクの保持が解除されたか否かを検出し、解除検出信号として出力する解除検出手段と、前記スタッカが前記装置本体から引き出された状態か否かを検出し、引出検出信号として出力する引出検出手段と、各種情報を報知する報知手段と、を備えるディスク発行装置を制御するとともに、前記解除検出信号及び前記引出検出信号が入力される制御装置であって、入力された前記解除検出信号に基づいて前記搬送手段による前記記録ディスクの保持が解除されたことを検出したときに、時間の計時を開始する計時手段を備え、前記計時手段によって所定時間が計時される前に、入力された前記引出検出信号に基づいて前記スタッカの引き出しを検出した場合に、前記スタッカの引き出しにより前記記録ディスクに傷が付いた可能性がある旨を前記報知手段に報知させることを特徴とする。
ここで、所定時間とは、記録ディスクがスタッカに確実に収納されるまでの時間のことであり、搬送手段による記録ディスクの保持の解除後、この所定時間の経過前にスタッカが引き出された場合、記録ディスクに傷が付いた可能性があり、逆に、この所定時間の経過後は、スタッカが引き出されたとしても、記録ディスクへの傷つきは生じない。
この構成によれば、ユーザ等は、搬送手段による記録ディスクの保持の解除の直後にスタッカが引き出され、これにより記録ディスクに傷が付いてしまった可能性がある、ということを認識することができ、この認識に基づいて当該記録ディスクの傷の確認や傷がついた当該記録ディスクの破棄等適切な処置をとることができる。このため、例えば、傷付いた記録ディスクが後の生産工程へ移されることがなく、記録ディスクの生産性を向上することができる。
【０００６】
ここで、上記発明の制御装置において、入力された前記引出検出信号に基づいて前記スタッカが前記装置本体から引き出されていないことを検出している期間に、前記記録ディスクの保持の解除を前記搬送手段に行わせるようにしてもよい。
この構成によれば、スタッカに記録ディスクを収納可能な状態のときにのみ搬送手段による記録ディスクの保持を解除させるため、スタッカに記録ディスクを確実に収納することができると共に、記録ディスクがスタッカに正常に収納されないことに起因する記録ディスクへの傷付きを防止することができる。
【０００７】
また、上記発明の制御装置において、前記搬送手段が、記録ディスクを保持し、前記スタッカまで搬送し、前記スタッカにおいて前記保持を解除し、前記スタッカに収納させる間、前記記録ディスクを前記スタッカへ収納中である旨を前記報知手段に報知させるようにしてもよい。
この構成によれば、ディスク発行装置が記録ディスクをスタッカに収納するための動作を行っているということを認識することができ、この認識に基づいて、例えば、スタッカの引き出しを控えることができる。このため、スタッカに記録ディスクを収納している最中に、スタッカが引きだされるということがなく、記録ディスクへの傷付きが防止できる。
【０００８】
また、上記目的を達成するために、本発明は、記録ディスクを収納すると共に、収納された前記記録ディスクを取り出すために装置本体から引き出し自在に構成されたスタッカと、前記記録ディスクを保持し、前記スタッカまで搬送し、前記スタッカにおいて前記保持を解除し、前記スタッカに収納させる搬送手段と、を備え、外部の制御装置に制御されるディスク発行装置において、前記搬送手段による前記記録ディスクの保持が解除されたか否かを検出し、解除検出信号として前記制御装置に出力する解除検出手段と、前記スタッカが前記装置本体から引き出された状態か否かを検出し、引出検出信号として前記制御装置に出力する引出検出手段と、各種情報を報知する報知手段と、を備え、前記解除検出信号及び前記引出検出信号に基づいて、前記制御装置から、前記記録ディスクに傷が付いた可能性があることを前記報知手段に報知させる旨の制御信号が入力されたときに、前記報知手段によって前記記録ディスクに傷が付いた可能性がある旨報知することを特徴とする。
【０００９】
また、上記目的を達成するために、本発明は、記録ディスクの記録面にデータを記録するデータ記録処理を行う記録手段と、前記記録ディスクのレーベル面に画像を印刷する印刷処理を行う印刷手段と、前記記録ディスクを収納するとともに、収納された前記記録ディスクを取り出すために装置本体から引き出し自在に構成されたスタッカと、前記データ記録処理及び前記印刷処理のうち少なくとも一方の処理が終了した記録ディスクを保持し、前記スタッカまで搬送し、前記スタッカにおいて前記保持を解除し、前記スタッカに収納させる搬送手段と、前記搬送手段によって前記記録ディスクの保持が解除されたときからの時間の経過を計時する計時手段と、前記スタッカが前記装置本体から引き出された状態か否かを検出する引出検出手段と、前記計時手段によって所定時間が計時される前に前記引出検出手段によって前記スタッカの引き出しが検出された場合に、その旨を報知する報知手段と、を備えることを特徴とする。
【００１０】
また、上記目的を達成するために、本発明は、記録ディスクを収納すると共に、収納された前記記録ディスクを取り出すために装置本体から引き出し自在に構成されたスタッカと、前記記録ディスクを保持し、前記スタッカまで搬送し、前記スタッカにおいて前記保持を解除し、前記スタッカに収納させる搬送手段と、前記搬送手段による前記記録ディスクの保持が解除されたか否かを検出し、解除検出信号として出力する解除検出手段と、前記スタッカが前記装置本体から引き出された状態か否かを検出し、引出検出信号として出力する引出検出手段と、各種情報を報知する報知手段と、を備えるディスク発行装置を制御するとともに前記解除検出信号及び前記引出検出信号が入力される制御装置、の制御方法において、入力された前記解除検出信号に基づいて前記搬送手段による前記記録ディスクの保持が解除されたことを検出したときに、時間の計時を開始する計時過程と、前記計時手段によって所定時間が計時される前に、入力された前記引出検出信号に基づいて前記スタッカの引き出しを検出した場合に、前記スタッカの引き出しにより前記記録ディスクに傷が付いた可能性がある旨を前記報知手段に報知させる報知過程と、を備えることを特徴とする。
【００１１】
また、上記目的を達成するために、本発明は、記録ディスクを収納すると共に、収納された前記記録ディスクを取り出すために装置本体から引き出し自在に構成されたスタッカと、前記記録ディスクを保持し、前記スタッカまで搬送し、前記スタッカにおいて前記保持を解除し、前記スタッカに収納させる搬送手段と、前記搬送手段による前記記録ディスクの保持が解除されたか否かを検出し、解除検出信号として出力する解除検出手段と、前記スタッカが前記装置本体から引き出された状態か否かを検出し、引出検出信号として出力する引出検出手段と、各種情報を報知する報知手段と、を備えるディスク発行装置を制御するとともに前記解除検出信号及び前記引出検出信号が入力される制御装置、を制御するための制御プログラムにおいて、入力された前記解除検出信号に基づいて前記搬送手段による前記記録ディスクの保持が解除されたことが検出されたときに、時間の計時を開始させ、前記計時手段によって所定時間が計時される前に、入力された前記引出検出信号に基づいて前記スタッカの引き出しが検出された場合に、その旨を前記報知手段に報知させるようにさせることを特徴とする。
【発明の効果】
【００１２】
本発明によれば、制御装置の制御の下、記録ディスクをスタッカに収納すべく、搬送手段が記録ディスクの保持を解除した直後に、スタッカが引き出された場合、制御装置は、記録ディスクとスタッカが衝突またはディスク発行装置の部品等に記録ディスクが引っ掛かる等して記録ディスクに傷が付いた可能性があるとして、その旨報知させる。このため、作業者等は、当該記録ディスクに傷が付いた可能性があることを認識し、この認識に基づいて当該記録ディスクを点検やテスト等することができる。従って、傷ついた記録ディスクが次の生産工程へ移ることがなく、記録ディスクの生産性を向上しかつ製造コストを削減することができる。
【発明を実施するための最良の形態】
【００１３】
以下、図面を参照して本発明に係る制御装置１００及びディスク発行装置１について説明する。
＜第１実施形態＞
図１は、本実施形態に係る制御装置１００およびディスク発行装置１を正面から見た図であり、図２は、ディスク発行装置１の装置本体１０の内部を上から見た図である。
制御装置１００は、ディスク発行装置１の各部を制御するものであり、例えばパーソナルコンピュータやサーバ等が適用される。制御装置１００とディスク発行装置１とは、ＵＳＢケーブル８２を介して信号通信可能に接続されており、詳細は後述するが、制御信号等の各種信号を互いに送受信可能な構成となっている。
以下、まず、制御装置１００に制御されるディスク発行装置１の構成について説明する。
【００１４】
図１に示すように、ディスク発行装置１は、箱形に形成された装置本体１０の内部に、記録ディスクＤに、データを記録するデータ記録処理を施す記録装置２０（記録手段）を有するとともに、この記録ディスクＤのレーベル面に対してインクを吐出することにより文字、図形、絵柄等の画像を印刷する印刷処理を施すインクジェット式の印刷装置３０（印刷手段）を備え、自動で複数の記録ディスクＤを発行するものである。なお、記録ディスクＤを発行するとは、記録ディスクＤに対し、上記データ記録処理及び上記画像印刷処理のうち少なくとも一方の処理を行った記録ディスクＤを作成することをいう。ここで、記録ディスクＤとは、レーザ光等を利用したデータの書込及び追記、読み取り等が可能な光学的記録媒体であり、例えば、ＣＤ−Ｒ，ＣＤ−ＲＷ，ＤＶＤ±Ｒ，ＤＶＤ±ＲＷ，ＤＶＤ−ＲＡＭ、あるいは、次世代ＤＶＤと呼ばれる光ディスク等がある。この記録ディスクＤの一方の盤面には、レーザ光によりデータを記録する記録面が形成され、他方の盤面には、文字や図形、絵柄等の画像を印刷可能なレーベル面が形成されている。
【００１５】
図１に示すように、ディスク発行装置１の装置本体１０は、ディスク発行装置１の土台たる装置本体下部１３と、この装置本体下部１３の上方に設けられ、ディスク発行装置１が備える各装置が配置される装置本体内部１０Ａが形成された装置本体上部１２とを備え、装置本体内部１０Ａの前面１２Ｂには、開口部１４が形成されている。
装置本体上部１２の装置本体内部１０Ａには、上記記録装置２０、印刷装置３０、第一スタッカ４１、第二スタッカ４２、オートローダ６０が配置されている。記録装置２０，２０と印刷装置３０とは、装置本体内部１０Ａの一方の側において、上下に並んで一列に配置されている。また、図２に示すように、記録装置２０および印刷装置３０は、装置本体上部１２の背面１２Ａ側に偏って配置されている。一方、装置本体上部１２の他方の側には、第一スタッカ４１および第二スタッカ４２が装置本体上部１２の前面１２Ｂ側に偏って配置されており、これら第一スタッカ４１および第二スタッカ４２の後方にはオートローダ６０のアーム部６１を支持するガイド６２が配置される。
【００１６】
また、図１に示すように、装置本体上部１２の開口部１４は、装置カバー１５により覆われている。この装置カバー１５は、開口部１４の他端１４Ａに設けられたドア軸１６に回動自在に支持される枠体１５Ａと、この枠体１５Ａに取り付けられた透明板１５Ｂとを備え、装置カバー１５が閉状態であっても、この透明板１５Ｂを介して装置本体上部１２に配置された記録装置２０，２０、印刷装置３０、第一スタッカ４１、第二スタッカ４２、オートローダ６０等の動作状態を視認することができる。
また、装置カバー１５には、装置カバー１５の開閉状態を検出する開閉検出センサ６７（図３）が設けられており、この開閉検出センサ６７によって装置カバー１５の閉状態が検出されているときのみ、ディスク発行装置１に設けられた記録装置２０や印刷装置３０、オートローダ６０等の装置が稼動し、装置カバー１５が開状態とされると、ディスク発行装置１に設けられた各装置の動作が停止する構成となっている。この構成のため、装置カバー１５が開き、装置本体内部１０Ａにアクセス可能な状態で各装置が動作することが確実に防止される。
ディスク発行装置１では、第一スタッカ４１、第二スタッカ４２に対する記録ディスクＤの出し入れを行うときやメンテナンス時以外は、基本的には装置カバー１５は閉じられた状態とされ、これにより、装置本体１０の装置本体内部１０Ａに塵埃等が進入することが防止されている。
【００１７】
一方、装置本体下部１３には、一方の側、すなわち記録装置２０や印刷装置３０が配置される側には、第三スタッカ５０が、装置本体下部１３の前面１３Ａに形成された引出口１７から引出自在に設けられている。第三スタッカ５０は、装置カバー１５が閉じられた状態でも引出口１７から第三スタッカ５０を引き出して、記録ディスクＤの出し入れを行うことができるよう構成されている。すなわち、記録装置２０、印刷装置３０やオートローダ６０が動作している状態でも、第三スタッカ５０を引出口１７から引き出して、第三スタッカ５０に対して記録ディスクＤの出し入れを行うことができるように構成されている。
【００１８】
その他、装置本体上部１２の前面１２Ｂにおいて、図１における正面視左下部にはディスク発行装置１の電源をオン／オフする電源スイッチ１８が設けられ、また正面視左上部には、ディスク発行装置１の各種状態等を報知する表示パネル７０（報知手段）が設けられている。
表示パネル７０には、ディスク発行装置１の電源のオン／オフ状態を示す電源状態表示部７１と、印刷装置３０における各色のインク残量を示すインク残量表示部７２と、スタッカ４０、５０の状態を示すスタッカ状態表示部７３とが設けられている。各表示部７１、７２、７３はそれぞれＬＥＤ（発光ダイオード）を用いて構成することができ、ＬＥＤの点灯状態によって各種状態を表示させる態様とすることができる。
例えば、電源状態表示部７１は、ディスク発行装置１の電源がオン／オフ状態にＬＥＤの点灯／消灯状態を対応させて、ディスク発行装置１の電源のオン／オフ状態を表示する態様とすることができる。
【００１９】
また、インク残量表示部７２は、印刷装置３０が使用するインクの残量に係る情報を表示するＬＥＤを備えており、例えば、インクのインク残量が残り少なくなった場合、ＬＥＤが点滅することにより、ユーザにその旨報知する。なお、このインク残量表示部７２は、印刷装置３０が使用するインクの種類に応じて適宜増設可能である。
なお、スタッカ状態表示部７３は、詳細は後述するが、第一スタッカＬＥＤ７３Ａと、第二スタッカＬＥＤ７３Ｂと、第三スタッカＬＥＤ７３Ｄと、増設スタッカＬＥＤ７３Ｃとを備えている。
【００２０】
次に、記録装置２０、印刷装置３０、オートローダ６０について説明する。
記録装置２０は、記録ディスクＤの記録面に対してレーザを照射して記録ディスクＤのデータ記録層にデータを記録するもので、印刷装置３０の上方に図１に示す例では二つの記録装置２０が上下に並べて配置されている。各記録装置２０は、それぞれ記録装置本体２１と、この記録装置本体２１に引き出し自在に設けられたドライブトレイ２２とを有している。各ディスクトレイには、記録ディスクＤが嵌め込まれてセットされる略円形の凹部２３（図２）が形成されている。
【００２１】
印刷装置３０は、記録ディスクＤのレーベル面に対して文字、図形等の画像を印刷するものであり、記録装置２０の下方に配置されている。
印刷装置３０は、印刷装置本体３１と、この印刷装置本体３１に引き出し自在に設けられたプリンタトレイ３２とを有している。このプリンタトレイ３２には、上記と同様に記録ディスクＤが嵌め込まれてセットされる略円形の凹部（図示略）が形成されている。
【００２２】
オートローダ６０は、図１に示すように、装置本体１０の装置本体内部１０Ａに立設された棒状のガイド６２と、このガイド６２に支持され、このガイド６２に沿って上下方向に摺動すると共に、ガイド６２を中心に回動する駆動部６３と、この駆動部６３に支持されたアーム部６１と、このアーム部６１の先端に設けられ、記録ディスクＤの中央部に形成されたクランプ領域をつかんで保持するハンドリング部６４（保持機構）と、を備えている。
駆動部６３には、ガイド６２における駆動部６３の上下方向における位置や、ガイド６２の軸を中心とした駆動部６３の回動位置を検出するオートローダ位置検出センサ６５（図３参照）が設けられている。このオートローダ位置検出センサ６５により検出された駆動部６３のガイド６２上の位置に基づいて、ハンドリング部６４の位置を検出することができる。オートローダ位置検出センサ６５は、例えば、駆動部６３を駆動するモータの回転角度を検出するロータリエンコーダや、駆動部６３自体の位置を検出するリニアエンコーダまたはガイド６２の特定位置で駆動部６３の有無を検出する光センサ等を適用することができる。
ハンドリング部６４には、このハンドリング部６４が記録ディスクＤの保持を解除したか否かを検出し、検出した結果を解除検出信号として出力するディスク保持検出センサ６６（解除検出手段）が設けられており、このディスク保持検出センサ６６によって、現在、ハンドリング部６４が記録ディスクＤを保持している状態か否かを検出することができる。このディスク保持検出センサ６６には、例えば、光センサ等を適用することができる。
【００２３】
次に、第１，第二スタッカ４１，４２及び第三スタッカ５０について説明する。
第一スタッカ４１は、図１及び図２に示すように、有底円筒形状に形成され、内部に数十枚（例えば、５０枚）程度の記録ディスクＤを積載して収納する第一スタッカ収納部４１Ａが形成されている。この第一スタッカ４１は、装置本体内部１０Ａに固定された第一スタッカベース４１Ｂに着脱自在に載置されている。第一スタッカ４１の外壁の一部には、下方に向かって長尺に切り欠かれた切り欠き部４１Ｃが形成されており、この切り欠き部４１Ｃを介してオートローダ６０のアーム部６１が第一スタッカ収納部４１Ａの下部まで進行可能に構成されている。
第二スタッカ４２は第一スタッカ４１と略同一の構成を有している。第二スタッカ４２は、第一スタッカ４１の下方に、第二スタッカ収納部４２Ａの上端と、第一スタッカベース４１Ｂの下面との間に、オートローダ６０のアーム部６１が挿入可能な間隙Ｋを空けて、第二スタッカベース４２Ｂに着脱自在に配置されている。また、第二スタッカ４２の外壁には第一スタッカ４１と略同様の切り欠き部４２Ｃが形成されており、上記間隙Ｋに挿入されたアーム部６１はこの切り欠き部４２Ｃを介して第二スタッカ収納部４２Ａの下部まで進行可能に構成されている。
ここで、第一スタッカ４１および第二スタッカ４２は、後述する操作部（図３参照）を介してユーザが設定を行うことにより、記録装置２０および／または印刷装置３０に供給される記録ディスクＤを収納する供給側のスタッカとして使用したり、記録装置２０および／または印刷装置３０において所定のデータ記録処理および／または所定の印刷処理が施された記録ディスクＤが収納される排出側のスタッカとして使用したりすることができる。なお、以下、供給側のスタッカとして使用されるものを供給側スタッカ、排出側のスタッカとして使用されるものを排出側スタッカと称することにする。
【００２４】
第三スタッカ５０は、上記排出側スタッカとして使用されるものであり、図１に示すように、数枚の記録ディスクＤを積載して収納するためのディスク収納部５３を有している。第三スタッカ５０は、装置本体１０の装置本体下部１３に対して引き出し自在に構成されている。具体的には、装置本体下部１３に、背面１２Ａへ向かって凹んだ状態で第三スタッカ引込部５１（図２参照）が形成されており、この第三スタッカ引込部５１に図２中矢印Ａで示す方向に引き出し／引き込み自在に第三スタッカ５０が取り付けられている。
装置本体内部１０Ａの下面に形成された内部下面１０Ｂ（図２）であって、第三スタッカ５０が第三スタッカ引込部５１に引き込まれたときに、ディスク収納部５３の上方に相当する箇所には、ディスク収納部５３に至るまで貫通した状態でディスク通過部５５が形成されている。このディスク通過部５５は、ディスク収納部５３に記録ディスクＤを収納する際に、記録ディスクＤを、盤面を略平行に保った状態でディスク収納部５３に導くための空間であり、例えば、印刷装置３０によって画像の印刷が終了した記録ディスクＤは、後述するオートローダ６０に保持され、このディスク通過部５５にいたるまで搬送された後、オートローダ６０による保持が解除され、このディスク通過部５５内を通過し、ディスク収納部５３に収納される。
また、第三スタッカ５０には、第三スタッカ５０の状態を検出し、検出した結果を引き出し検出信号として出力するスタッカ状態検出センサ５６（図３）（引出検出手段）が設けられており、第三スタッカ５０が装置本体１０から引き出され、記録ディスクＤを収納可能な状態であるか、又は、第三スタッカ５０が装置本体１０に引き込まれ、第三スタッカ５０に記録ディスクＤを収納可能な状態であるか、を検出可能な構成となっている。このスタッカ状態検出センサ５６として、光センサや接触型センサ等を適用することができる。
ユーザは後述する操作部（図３参照）を介して、この第三スタッカ５０を上記排出側スタッカとして指定することができる。
【００２５】
さらに、図１に二点鎖線で示すように、ディスク通過部５５の上方には、増設スタッカ５７を取り付けることができる。この増設スタッカ５７は、有底円筒形状に形成されており、内部に数十枚（例えば、５０枚）程度の記録ディスクＤを積載して収納する増設ディスク収納部５７Ａが形成されている。この増設スタッカ５７を取り付けることにより、ディスク発行装置１において、収納可能な記録ディスクＤの枚数を増やすことができ、連続して発行可能な記録ディスクＤの枚数の増大を図ることができる。
ユーザは後述する操作部（図３参照）を介して、この増設スタッカ５７を上記排出側スタッカや収納側スタッカとして指定することができる。
【００２６】
本実施形態では、上述した様に、ディスク発行装置１は、ＵＳＢケーブル８２を介して制御装置１００に接続されている。具体的には、図３に示す様に、記録装置２０、印刷装置３０、オートローダ６０は、それぞれ、ＵＳＢケーブルを介して制御装置１００に接続されており、この制御装置１００がこれらの装置を制御する構成となっている。
以下、図３を参照して、制御装置１００およびディスク発行装置１の機能的構成について説明する。
【００２７】
図３は、制御装置１００及びディスク発行装置１の機能的構成を示すブロック図である。
この図に示すように、制御装置１００は、記録ディスクＤを複製するための基本機能を提供するアプリケーション部１１０と、このアプリケーション部１１０から受信したデータに従って各種データを作成し、一時保存するデータ変換部１２０と、このデータ変換部１２０に一時保存されたデータに基づいて、ディスク発行装置１の各装置を中枢的に制御する統合制御部１３０と、この統合制御部１３０の制御の下、ディスク発行装置１の各装置を制御する各種ドライバ等を有するデバイス制御部１４０とを備えている。
また、制御装置１００は、操作部１１３と接続されている。この操作部１１３は、ユーザ等が操作を介して、制御装置１００に対する各種指示を行うものである。ユーザは、上記モニタ部１１２を参照しつつ、この操作部１１３を操作することによって、例えば、第一スタッカ４１、第二スタッカ４２を上述した供給側スタッカ又は排出側スタッカとして指定することができる。また、ユーザは、この操作部１１３を操作することにより、ディスク発行装置１に対する記録ディスクＤの発行処理の開始や、記録ディスクＤの発行処理のキャンセル指示（中止指示）を入力することができる。操作部１１３として、例えば、キーボードやマウス等が適用される。
【００２８】
アプリケーション部１１０は、セットアップ部１１１と、モニタ部１１２と、操作部１１３と、ディスク作成部１１４と、テンプレート部１１５とを備えている。
セットアップ部１１１は、ディスク発行装置１の初期設定を行うものである。
モニタ部１１２は、統合制御部１３０の制御の下、ディスク発行装置１の各装置の動作状態や、ディスク発行装置１の動作モード等の各種情報を表示するものである。モニタ部１１２として、例えば、ブラウン管（ＣＲＴ）、液晶表示装置（ＬＣＤ）、プラズマ表示装置等の各種の表示装置が適用される。
【００２９】
ディスク作成部１１４は、統合制御部１３０の制御の下、データファイルの内容に基づいて、記録ディスクＤに記録すべきデータや記録ディスクＤのレーベル面に印刷すべき画像等に係るデータを編集、生成する部位であり、ディスク作成部１１４を中枢的に制御するパブリッシャ部１１４ｂと、記録ディスクＤに記録すべきデータを編集、生成するディスクエディタ部１１４ａと、記録ディスクＤに印刷すべき画像に係るデータを編集、生成するラベルエディタ部１１４ｃと、を有する。なお、ラベルエディタ部１１４ｃは、必要に応じてテンプレート１１５を参照し、データを編集、生成することができる。また、ディスク作成部１１４はディスク発行装置１の各種動作を制御するデータである作成設定データ１２１を生成する。但し、作成設定データ１２１は、記録装置２０に対するデータ記録要求、印刷装置３０に対する印刷要求、記録ディスクの作成枚数、オートローダ６０に対する搬送指示要求等である。
【００３０】
データ変換部１２０は、上記作成設定データ１２１、印刷データおよび光ディスクに記録処理を施す際に用いられる書込データ１２３を一時的に記憶する一時記憶部１２４と、ディスクライブラリ１２５と、ＧＤＩ（グラフィックデバイスインタフェース）部１２６とを備える。
ディスクライブラリ１２５は、ディスクエディタ部１１４ａから入力されたデータをもとに、上述した書込みデータ１２３を生成し、一時記憶部１２４に出力する。
ＧＤＩ部１２６は、ラベルエディタ部１１４ｃから入力されたデータをもとに、上述した印刷データ１２２を生成し、一時記憶部１２４に出力する。
【００３１】
統合制御部１３０は、一時記憶部１２４に記憶された各種データに基づいて、ディスク発行装置１の各装置２０、３０、６０を中枢的に制御する。具体的には、作成設定データ１２１が示す内容に基づいて、各装置の動作をスケジューリングし、この動作スケジュールに基づいた制御信号を出力する。この統合制御部１３０が、ディスク発行装置１の各装置の動作をスケジューリングし、各装置２０、３０、６０を中枢的に制御するため、記録装置２０によるデータの記録や、印刷装置３０によるレーベル面に対する印刷、オートローダ６０による記録ディスクＤの搬送等の動作を互いに干渉することなく実行できると共に、効率のよい記録ディスクＤの発行を行うことができる。
また、統合制御部１３０は、発振器（不図示）が生成した基準クロックに基づいて、後述する所定時間Ｔ１の測定や、各種計時動作等を実行する計時部１３１（計時手段）を備えている。
【００３２】
デバイス制御部１４０は、統合制御部１３０の制御の下、記録装置２０の動作を制御するデータ記録部ドライバ１４１と、オートローダ６０の動作を制御するオートローダドライバ１４２と、印刷装置３０の動作を制御する印刷入出力制御部１４３とを備える他、ＵＳＢインタフェース１４４を備えている。データ記録部ドライバ１４１は、統合制御部１３０からの動作命令のみを有効な命令として選択するフィルタドライバ１４１ａを備え、統合制御部１３０以外からの動作命令を受け付けない構成となっている。
なお、上述したＧＤＩ部１２６と上記印刷入出力制御部１４３とによってプリンタドライバ１４５が構成されている。
【００３３】
一方、ディスク発行装置１は、上述した記録装置２０と、印刷装置３０とオートローダ６０とが接続されるＵＳＢハブ８１を備え、制御装置１００とディスク発行装置１との間でＵＳＢケーブル８２を介して信号通信可能に接続されている。
オートローダ６０は、上述したスタッカ状態検出センサ５６と、オートローダ位置検出センサ６５と、ディスク保持検出センサ６６により検出した各種検出信号をＵＳＢケーブル８２を介して制御装置１００の統合制御部１３０に出力可能な構成となっている。また、オートローダ６０には、表示パネル７０が信号通信可能に接続されており、統合制御部１３０の制御の下、表示パネル７０のスタッカ状態表示部７３の各ＬＥＤが点灯／消滅する構成となっている。具体的には、スタッカ状態表示部７３の各ＬＥＤは、複数の色を発光可能に構成されており、各スタッカのうち、ユーザによって供給側スタッカとして指定されたスタッカに対応するＬＥＤが統合制御部１３０の点灯指示信号に応じて青色の光を点灯し、また、排出側スタッカとして指定されたスタッカに対応するＬＥＤが統合制御部１３０の点灯指示信号に応じて黄色の光を点灯する構成となっている。例えば、第一スタッカ４１が供給側スタッカとして指定され、第三スタッカ５０が排出側スタッカとして指定されている場合、第一スタッカＬＥＤ７３Ａが青色に点灯し、第三スタッカＬＥＤ７３Ｄが黄色に点灯する。
【００３４】
次いで、制御装置の制御の下動作するディスク発行装置の基本的な動作、すなわち、記録ディスクＤに、記録装置２０によってデータが記録され、印刷装置３０によって画像が印刷され、スタッカに収納されるまでの一連の動作について簡単に説明する。ここで、説明の便宜のため、ユーザが予め上記供給側スタッカとして第一スタッカ４１を指定し、排出側スタッカとして第三スタッカ５０を指定し、データの記録は、記録装置２０によって行われるものとする。また、第一スタッカ４１には、未記録ディスクが予め収納され、かつ、制御装置１００に記録ディスクＤに記録すべきデータ及び印刷すべき画像に係るデータが予め記憶されているものとする。
【００３５】
操作部１１３の操作によって、記録ディスクＤの発行処理の開始が指示されると、オートローダドライバ１４２の制御の下、オートローダ６０の駆動部６３が駆動することにより、ハンドリング部６４が第一スタッカ４１まで移動し、第一スタッカ４１に収納されている記録ディスクＤのクランプ領域をつかむ（クランプする）ことによって記録ディスクＤを保持する。その後、データ記録部ドライバ１４１の制御の下、記録装置２０のドライブトレイ２２が引き出される。オートローダ６０は、この引き出されたドライブトレイ２２に記録ディスクＤを搬送し、このドライブトレイ２２の凹部９２Ｃに記録ディスクＤを載置し、退避する。すると、ドライブトレイ２２が記録装置本体２１に引き込まれ、データの記録が開始される。
記録装置２０において、データの記録が終了すると、再び、ドライブトレイ２２が引き出される。オートローダ６０のハンドリング部６４は、この引き出されたドライブトレイ２２まで移動し、データの記録が終了した記録ディスクＤを保持する。その後、ドライブトレイ２２が記録装置本体２１に引き込まれると共に、プリンタドライバ１４５の制御の下、印刷装置３０のプリンタトレイ３２が印刷装置本体３１から引き出される。そして、オートローダ６０のハンドリング部６４は、記録ディスクＤを保持したままプリンタトレイ３２まで移動し、プリンタトレイ３２の凹部に記録ディスクＤを載置し、退避する。すると、プリンタトレイ３２が印刷装置本体３１に引き込まれ、画像の印刷が開始される。
印刷装置３０において、データの記録が終了すると、再び、プリンタトレイ３２が引き出される。オートローダ６０のハンドリング部６４は、この引き出されたプリンタトレイ３２まで移動し、画像の印刷が終了した記録ディスクＤを保持する。その後、プリンタトレイ３２は、印刷装置本体３１に引き込まれ、オートローダ６０のハンドリング部６４は、記録ディスクＤを保持したまま、上記ディスク通過部５５にいたるまで記録ディスクＤを搬送する。このディスク通過部５５において、オートローダ６０のハンドリング部６４は、第三スタッカ５０のディスク収納部５３に記録ディスクＤを収納すべく、記録ディスクＤの保持を解除する。オートローダ６０による保持が解除された記録ディスクＤは、ディスク通過部５５内を通過し、ディスク収納部５３に収納される。
【００３６】
ところで、上述したディスク発行装置１の基本動作において、第三スタッカ５０に記録ディスクＤを収納すべく、ディスク通過部５５においてオートローダ６０が記録ディスクＤの保持を解除するときに、第三スタッカ５０が装置本体１０から引き出された状態である場合、記録ディスクＤは、第三スタッカ５０のディスク収納部５３に正常に収納されず、ディスク通過部５５を落下する過程で傷が付く可能性が生じる。一方、オートローダ６０が記録ディスクＤの保持を解除する直前まで、第三スタッカ５０が装置本体１０に引き込まれた状態であっても、上記保持を解除した直後に第三スタッカ５０が装置本体１０から引き出された場合、落下中の記録ディスクＤが引き出し中のスタッカと衝突したり、装置本体１０の部品に引っ掛かったりする等して、記録ディスクＤが傷付いてしまう可能性がある。本実施形態では、これらの場合において、記録ディスクＤが傷ついた可能性がある旨を報知することにより、傷の確認等の適切な処理を施すことをユーザに促している。以下、このときの動作についてフローチャートを用いて詳述する。
【００３７】
図４は、印刷装置３０によって画像の印刷が終了した記録ディスクＤをオートローダ６０が第三スタッカ５０に収納するまでの動作（以下、「ディスク収納動作」）を示すフローチャートである。ここでは、一例として、記録ディスクＤを印刷装置３０から第三スタッカ５０に収納する例を示すが、記録ディスクＤを記録装置２０から第三スタッカ５０に収納する場合も略同一の動作が行われる。
まず、統合制御部１３０は、第三スタッカＬＥＤ７３Ｄに点灯指示信号を送り、黄色に点灯している第三スタッカＬＥＤ７３Ｄ（ここでは、第三スタッカ５０が、排出側スタッカとして指定されているため、第三スタッカＬＥＤ７３Ｄは、上述したように、黄色く点灯している。）を点滅すると共に、モニタ部１１２を制御し、ディスク収納動作中である旨表示する（ステップＳＡ１）。これにより、上記ディスク収納動作が開始された旨を報知し、第三スタッカ５０の引き出しや装置カバー１５の開閉を控える旨ユーザに伝える。次いで、統合制御部１３０の制御の下、オートローダ６０は、印刷装置３０のプリンタトレイ３２にセットされている記録ディスクＤを保持し、ディスク通過部５５まで搬送する（ステップＳＡ２）。記録ディスクＤの搬送後、統合制御部１３０は、スタッカ状態検出センサ５６の出力した引出検出信号に基づいて、第三スタッカ５０が装置本体１０に引き込まれた状態か否か、換言すれば、第三スタッカ５０に記録ディスクＤを収納可能な状態であるか否かを判別する（ステップＳＡ３）。第三スタッカ５０が装置本体１０に引き込まれていない状態のとき（ステップＳＡ３：ＮＯ）、統合制御部１３０は、黄色に点滅している第三スタッカＬＥＤ７３Ｄを赤く点灯すると共に、モニタ部１１２にディスク収納動作を一時停止する旨報知し（ステップＳＡ４）、ディスク収納動作を一時停止する（ステップＳＡ５）。これは、第三スタッカＬＥＤ７３Ｄを赤く点灯し、モニタ部１１２にディスク収納動作を一時停止する旨表示することにより、ユーザに第三スタッカ５０が引き込まれていないことをユーザに報知し、第三スタッカ５０を引き込むことを促すと共に、ディスク収納動作を一時停止することにより、記録ディスクＤに傷が付くことを防ぐためである。
【００３８】
一方、第三スタッカ５０が装置本体１０に引き込まれている状態のとき（ステップＳＡ３：ＹＥＳ）、第三スタッカ５０に記録ディスクＤを収納可能な状態にあるため、統合制御部１３０の制御の下、オートローダ６０のハンドリング部６４は、ディスク通過部５５において、記録ディスクＤの保持を解除する（ステップＳＡ６）。そして、統合制御部１３０はディスク保持検出センサ４３が出力した解除検出信号により記録ディスクＤの保持の解除を検出したときに、計時部１３１により、所定時間Ｔ１の計測を開始する（ステップＳＡ７）。ここで、所定時間Ｔ１とは、記録ディスクＤが第三スタッカ５０に確実に収納されるまでの時間のことであり、オートローダ６０による記録ディスクＤの保持の解除後、この所定時間Ｔ１の経過前に第三スタッカ５０が引き出された場合、記録ディスクＤに傷が付いた可能性があり、逆に、この所定時間Ｔ１の経過後は、第三スタッカ５０が引き出されたとしても、記録ディスクＤへの傷つきは生じない。この所定時間Ｔ１としては、例えば、「１秒」が設定される。所定時間Ｔ１の計測開始後、統合制御部１３０は、この所定時間Ｔ１が経過するまでの間に、スタッカ状態検出センサ５６が出力する引出検出センサに基づいて、第三スタッカ５０が引き出されたか否かを、監視する（ステップＳＡ８、ステップＳＡ９）。所定時間Ｔ１経過前に、第三スタッカ５０が引き出された場合（ステップＳＡ８：ＹＥＳ）、統合制御部１３０は、第三スタッカＬＥＤ７３Ｄに点灯指示信号を送り、この第三スタッカＬＥＤ７３Ｄを赤く点滅し、モニタ部１１２に記録ディスクＤに傷が付いた可能性がある旨表示し（ステップＳＡ１０）、ディスク収納動作を一時中断する（ステップＳＡ１１）。これは、第三スタッカＬＥＤ７３Ｄを赤く点滅することにより、ユーザに、当該記録ディスクＤに傷が付いた可能性があることを通知し、傷の確認等適切な処理を施すことを促すと共に、ディスク収納動作を一時中断し、ユーザに当該記録ディスクＤを取り出す機会を提供するためである。
一方、第三スタッカ５０が引き出されることなく（ステップＳＡ８：ＮＯ）、所定時間Ｔ１が経過した場合（ステップＳＡ９：ＹＥＳ）、統合制御部１３０は、第三スタッカＬＥＤ７３Ｄに点灯指示信号を送り、第三スタッカＬＥＤ７３Ｄを黄色に点灯し、モニタ部１１２にディスク収納動作が正常に終了した旨表示する（ステップＳＡ１２）。これにより、ユーザにディスク収納動作が正常に終了した旨を報知する。
【００３９】
以上説明したように、本実施形態によれば、記録ディスクＤを第三スタッカ５０に収納する際、所定時間Ｔ１以内に第三スタッカ５０が引き出された場合、第三スタッカＬＥＤ７３Ｄを赤く点滅し、ユーザに記録ディスクＤに傷が付いた可能性がある旨報知する。このため、ユーザは、当該記録ディスクＤに傷が付いた可能性があることを認識することができ、この認識に基づいて当該記録ディスクを点検やテスト等適切な処置を施すことができる。従って、傷ついた記録ディスクＤが次の生産工程へ移ることがなく、記録ディスクＤの生産性を向上しかつ製造コストを削減することができる。また、ユーザは、第三スタッカＬＥＤ７３Ｄが点滅していることを視覚を通じて迅速に把握することができ、すばやい対応を図ることができる。
また、本実施の形態によれば、上記ディスク収納動作を実行中は、第三スタッカＬＥＤ７３Ｄが、黄色く点滅し、現在ディスク収納動作中である旨ユーザに報知される。このため、ユーザは、ディスク収納動作中に、例えば、第三スタッカ５０の引き出しを控えることができ、これにより、記録ディスクＤへの傷付きが防止できる。
また、本実施の形態によれば、第三スタッカ５０に記録ディスクＤを収納する際、統合制御部１３０は、オートローダ６０が記録ディスクＤの保持を解除する前に、第三スタッカ５０が引き込まれているか否かを判断し、引き込まれている場合にのみ、記録ディスクＤの保持を解除する。このため、第三スタッカ５０が装置本体１０に引き込まれておらず、これに起因して記録ディスクＤが第三スタッカ５０に正常に収納されずに記録ディスクＤに傷が付いてしまう、といった事態が生じることを防止することができる。
【００４０】
＜第２実施形態＞
上述した第１実施形態では、ディスク発行装置１の記録装置２０、印刷装置３０、オートローダ６０等の各装置を、制御装置１００の統合制御部１３０が制御し、この統合制御部１３０が、例えば、第三スタッカ５０が上記所定時間Ｔ１の経過前に引き出されたか否か等の各種判断を行い、これら判断に基づき、ディスク発行装置１の各装置を制御する態様を例示したが、本実施形態では、ディスク発行装置１が、装置制御部１５０を備えており、この装置制御部１５０が各装置を制御する態様としている。
【００４１】
図５は、本実施形態に係る制御装置１００及びディスク発行装置１の機能的構成を示すブロック図である。なお、この図において、図３に示す構成要素と同じものについては同一の符号を付し、その説明を省略する。
図５に示すように、ディスク発行装置１は、装置制御部１５０を備え、この装置制御部１５０に記録装置２０、印刷装置３０、オートローダ６０等の各装置が信号通信可能に接続されている。この装置制御部１５０は、第１実施形態における統合制御部１３０と同様の働きをするものであり、上記各装置の動作を制御する他、オートローダ６０が備える各種センサが検出した信号を受信し、この信号に基づいて各種判断を行う。
また、装置制御部１５０は、ＵＳＢインタフェース８３及びＵＳＢケーブル８２を介して、統合制御部１３０と、信号通信可能に接続されており、統合制御部１３０に現在のディスク発行装置１の動作状態を示す信号を送信する他、統合制御部１３０から入力された、ディスク発行処理開始を示す信号やディスク発行処理の中断を示す信号等の制御信号に基づいて各装置の制御を行う。
さらに、装置制御部１５０は、発振器（不図示）が生成した基準クロックに基づいて、後述する所定時間Ｔ１の測定や、各種計時動作等を実行する計時部１５１（計時手段）を備えている。
【００４２】
次いで、上記構成のディスク発行装置１のディスク収納動作時における動作についてフローチャートを用いて説明する。
図６は、本実施形態に係るディスク発行装置１の動作を示すフローチャートである。
まず、装置制御部１５０は、第三スタッカＬＥＤ７３Ｄに点灯指示信号を送り、黄色に点灯している第三スタッカＬＥＤ７３Ｄ（ここでは、第三スタッカ５０が、排出側スタッカとして指定されているため、第三スタッカＬＥＤ７３Ｄは、上述したように、黄色く点灯している。）を点滅する（ステップＳＢ１）。これにより、上記ディスク収納動作が開始された旨を報知すると共に、第三スタッカ５０の引き出しや装置カバー１５の開閉を控える旨ユーザに伝える。そして、装置制御部１５０は、統合制御部１３０に対し、ディスク収納動作中である旨の信号を送信する（ステップＳＢ２）。これにより、統合制御部１３０は、ディスク発行装置１において現在ディスク収納動作が行われていることを把握することができ、例えば、モニタ部１１２を制御し、その旨の表示を行う。
次いで、装置制御部１５０の制御の下、オートローダ６０は、印刷装置３０のプリンタトレイ３２にセットされている記録ディスクＤを保持し、ディスク通過部５５まで搬送する（ステップＳＢ３）。記録ディスクＤの搬送後、装置制御部１５０は、スタッカ状態検出センサ５６が出力した引出検出信号に基づいて、第三スタッカ５０が装置本体１０に引き込まれた状態か否か、換言すれば、第三スタッカ５０に記録ディスクＤを収納可能な状態であるか否かを判別する（ステップＳＢ４）。第三スタッカ５０が装置本体１０に引き込まれていない状態のとき（ステップＳＢ４：ＮＯ）、装置制御部１５０は、黄色に点滅している第三スタッカＬＥＤ７３Ｄを赤く点灯し（ステップＳＢ５）、ディスク収納動作を一時停止する（ステップＳＢ６）。これは、第三スタッカＬＥＤ７３Ｄを赤く点灯することにより、ユーザに第三スタッカ５０が引き込まれていないことをユーザに報知し、第三スタッカ５０を引き込むことを促すと共に、ディスク収納動作を一時停止することにより、記録ディスクＤに傷が付くことを防ぐためである。また、ディスク収納動作を一時停止した後、装置制御部１５０は、その旨の信号を統合制御部１３０に出力する。これにより、統合制御部１３０は、ディスク発行装置１においてディスク収納動作が一時停止されていることを把握することができ、例えば、モニタ部１１２を制御し、その旨の表示を行う。
【００４３】
一方、第三スタッカ５０が装置本体１０に引き込まれている状態のとき（ステップＳＢ４：ＹＥＳ）、第三スタッカ５０に記録ディスクＤを収納可能な状態にあるため、装置制御部１５０の制御の下、オートローダ６０のハンドリング部６４は、ディスク通過部５５において、記録ディスクＤの保持を解除する（ステップＳＢ８）。そして、装置制御部１５０はディスク保持検出センサ４３が出力した解除検出信号により記録ディスクＤの保持の解除を検出したときに、計時部１３１により、所定時間Ｔ１の計測を開始する（ステップＳＢ９）。ここで、所定時間Ｔ１とは、記録ディスクＤが第三スタッカ５０に確実に収納されるまでの時間のことであり、オートローダ６０による記録ディスクＤの保持の解除後、この所定時間Ｔ１の経過前に第三スタッカ５０が引き出された場合、記録ディスクＤに傷が付いた可能性があり、逆に、この所定時間Ｔ１の経過後は、第三スタッカ５０が引き出されたとしても、記録ディスクＤへの傷つきは生じない。この所定時間Ｔ１としては、例えば、「１秒」が設定される。所定時間Ｔ１の計測開始後、装置制御部１５０は、この所定時間Ｔ１が経過するまでの間に、スタッカ状態検出センサ５６が出力する引出検出センサに基づいて、第三スタッカ５０が引き出されたか否かを、監視する（ステップＳＢ１０、ステップＳＢ１１）。所定時間Ｔ１経過前に、第三スタッカ５０が引き出された場合（ステップＳＢ１０：ＹＥＳ）、装置制御部１５０は、第三スタッカＬＥＤ７３Ｄに点灯指示信号を送り、この第三スタッカＬＥＤ７３Ｄを赤く点滅し（ステップＳＢ１２）、ディスク収納動作を一時中断する（ステップＳＢ１３）。これは、第三スタッカＬＥＤ７３Ｄを赤く点滅することにより、ユーザに、当該記録ディスクＤに傷が付いた可能性があることを通知し、傷の確認等適切な処理を施すことを促すと共に、ディスク収納動作を一時中断し、ユーザに当該記録ディスクＤを取り出す機会を提供するためである。そして、装置制御部１５０は、ハンドリング部６４による保持の解除から所定時間Ｔ１以内に第三スタッカ５０の引き出しがあったことに起因してディスク収納動作を一時中断している旨の信号を統合制御部１３０に出力する（ステップＳＢ１４）。これにより、統合制御部１３０は、ディスク発行装置１において現在ディスク収納動作が行われていることを把握することができ、例えば、モニタ部１１２を制御し、その旨の表示を行う。
【００４４】
一方、第三スタッカ５０が引き出されることなく（ステップＳＢ１０：ＮＯ）、所定時間Ｔ１が経過した場合（ステップＳＢ１１：ＹＥＳ）、装置制御部１５０は、第三スタッカＬＥＤ７３Ｄに点灯指示信号を送り、第三スタッカＬＥＤ７３Ｄを黄色に点灯する（ステップＳＢ１５）。これにより、ユーザにディスク収納動作が正常に終了した旨を報知する。そして、装置制御部１５０は、ディスク収納動作が正常に終了した旨の信号を統合制御部１３０に出力する。これにより、統合制御部１３０は、ディスク発行装置１においてディスク収納動作が正常に終了したことを把握することができ、例えば、モニタ部１１２を制御し、その旨の表示を行う。
【００４５】
以上説明したように、本実施の形態によれば、記録ディスクＤを第三スタッカ５０に収納する際、所定時間Ｔ１以内に第三スタッカ５０が引き出された場合、第三スタッカＬＥＤ７３Ｄを赤く点滅し、ユーザに記録ディスクＤに傷が付いた可能性がある旨報知する。このため、ユーザは、当該記録ディスクＤに傷が付いた可能性があることを認識することができ、この認識に基づいて当該記録ディスクを点検やテスト等適切な処置を施すことができる。従って、傷ついた記録ディスクＤが次の生産工程へ移ることがなく、記録ディスクＤの生産性を向上しかつ製造コストを削減することができる。また、ユーザは、第三スタッカＬＥＤ７３Ｄが点滅していることを視覚を通じて迅速に把握することができ、すばやい対応を図ることができる。
また、本実施の形態によれば、上記ディスク収納動作を実行中は、第三スタッカＬＥＤ７３Ｄが、黄色く点滅し、現在ディスク収納動作中である旨ユーザに報知される。このため、ユーザは、ディスク収納動作中に、例えば、第三スタッカ５０の引き出しを控えることができ、これにより、記録ディスクＤへの傷付きが防止できる。
また、本実施の形態によれば、第三スタッカ５０に記録ディスクＤを収納する際、統合制御部１３０は、オートローダ６０が記録ディスクＤの保持を解除する前に、第三スタッカ５０が引き込まれているか否かを判断し、引き込まれている場合にのみ、記録ディスクＤの保持を解除する。このため、第三スタッカ５０が装置本体１０に引き込まれておらず、これに起因して記録ディスクＤが第三スタッカ５０に正常に収納されずに記録ディスクＤに傷が付いてしまう、といった事態が生じることを防止することができる。
【００４６】
なお、上述した実施の形態は、あくまでも本発明の一態様を示すものであり、本発明の範囲内で任意に変形および応用が可能である。例えば、本実施形態では、ディスク収納動作中の報知や、記録ディスクＤに傷が付いた可能性がある旨の報知等、各種報知を表示パネル７０やモニタ部１１２に表示する構成となっているが、報知の方法は、これに限らず、例えば、音声によって報知してもよい。
【図面の簡単な説明】
【００４７】
【図１】第１実施形態に係る制御装置及びディスク発行装置を正面から見た図である。
【図２】ディスク発行装置の装置本体の内部を上から見た図である。
【図３】制御装置及びディスク発行装置の機能ブロック図である。
【図４】制御装置及びディスク発行装置の動作を示すフローチャートである。
【図５】第２実施形態に係る制御装置ディスク発行装置の機能ブロック図である。
【図６】ディスク発行装置の動作を示すフローチャートである。
【符号の説明】
【００４８】
１…ディスク発行装置、１０…装置本体、１０Ａ…装置本体内部、２０…記録装置（記録手段）、３０…印刷装置（印刷手段）、４１…第一スタッカ、４２…第二スタッカ、１３１，１５１…計時部（計時手段）、５０…第三スタッカ（スタッカ）、５６…スタッカ状態検出センサ（引出検出手段）、６０…オートローダ（搬送手段）、６６…ディスク保持検出センサ（解除検出手段）７０…表示パネル（報知手段）、１００…制御装置、Ｔ１…所定時間、Ｄ…記録ディスク
【図１】
2009070435.tif 000003
【図２】
2009070435.tif 000004
【図３】
2009070435.tif 000005
【図４】
2009070435.tif 000006
【図５】
2009070435.tif 000007
【図６】
2009070435.tif 000008